(57)【要約】【課題】  ドアを設けた状態で、仮梁を設けることができる建物ユニット、ユニット建物及びユニット建物の構築方法を提供する。【解決手段】  複数の梁材（第１床大梁２２，天井大梁２５）と柱材（柱２１）とによって骨組体が形成された建物ユニット（玄関ユニット２０）であって、骨組体の梁材（第１床大梁２２，天井大梁２５）が配置される一辺の位置において、間隔をおいて配置される複数の短梁（第２床大梁２３，第３床大梁２４）と、短梁間に配置され、着脱可能な仮梁（第１仮梁３１，第２仮梁３５）と、を備え、仮梁（第１仮梁３１，第２仮梁３５）は、骨組体の内側に配置され、短梁間には、ドア（玄関ドア７０）が配置される。【選択図】図９
2019065524.tif 000002
【特許請求の範囲】
【請求項１】
複数の梁材と柱材とによって骨組体が形成された建物ユニットであって、
前記骨組体の前記梁材が配置される一辺の位置において、間隔をおいて配置される複数の短梁と、
前記短梁間に配置され、着脱可能な仮梁と、を備え、
前記仮梁は、前記骨組体の内側に配置され、
前記短梁間には、ドアが配置される
ことを特徴とする建物ユニット。
【請求項２】
前記仮梁は、第１仮梁と、第２仮梁と、で構成され、
前記第１仮梁は、前記短梁の端部の側面間を接続し、
前記第２仮梁は、前記第１仮梁に直交する方向に向けて設けられる
ことを特徴とする、請求項１に記載の建物ユニット。
【請求項３】
前記短梁は、３本配置され、
前記短梁間には、２つの前記ドアが配置される
ことを特徴とする、請求項１又は２に記載の建物ユニット。
【請求項４】
３本の前記短梁のうち、中央の短梁と、該中央の短梁と対峙する前記梁材と、を支持する支持梁を有する
ことを特徴とする請求項３に記載の建物ユニット。
【請求項５】
請求項１〜４の何れか一項に記載の建物ユニットを備えるユニット建物。
【請求項６】
複数の梁材と柱材とによって骨組体が形成された建物ユニットを備えるユニット建物の構築方法であって、
前記梁材に切欠部を設ける切欠部設置工程と、
前記切欠部を補強する仮梁を前記骨組体の内側に取り付ける仮梁取付工程と、
前記切欠部にドアを取り付けるドア取付工程と、
前記建物ユニットを所定の位置に設置して固定する設置・固定工程と、
前記仮梁を前記建物ユニットから脱離する仮梁脱離工程と、を含む
ことを特徴とするユニット建物の構築方法。
【発明の詳細な説明】
【技術分野】
【０００１】
本発明は、玄関ドアを有する建物ユニット、ユニット建物及びユニット建物の構築方法に関するものである。
【背景技術】
【０００２】
従来、建物ユニットは、工場付けされて建築地で取り外し可能な仮梁を設け、輸送時及び建築地での据付時に要求される剛性を確保することが知られている（例えば、特許文献１参照）。
【先行技術文献】
【特許文献】
【０００３】
【特許文献１】特開平９−１２５５２３号公報
【発明の概要】
【発明が解決しようとする課題】
【０００４】
しかしながら、特許文献１に記載された建物ユニットは、骨組みとなる梁材の一辺に沿って、仮梁を設ける構成である。そのため、梁材に沿って設けられるドアを設けた状態で、仮梁を設けることができない、という問題がある。
【０００５】
そこで、本発明は、ドアを設けた状態で、仮梁を設けることができる建物ユニット、ユニット建物及びユニット建物の構築方法を提供することを目的としている。
【課題を解決するための手段】
【０００６】
前記目的を達成するために、本発明の建物ユニット及びユニット建物は、複数の梁材と柱材とによって骨組体が形成された建物ユニットであって、前記骨組体の前記梁材が配置される一辺の位置において、間隔をおいて配置される複数の短梁と、前記短梁間に配置され、着脱可能な仮梁と、を備え、前記仮梁は、前記骨組体の内側に配置され、前記短梁間には、ドアが配置されることを特徴とする。
【０００７】
ここで、本発明の建物ユニット及びユニット建物は、前記仮梁は、第１仮梁と、第２仮梁と、で構成され、前記第１仮梁は、前記短梁の端部の側面間を接続し、前記第２仮梁は、前記第１仮梁に直交する方向に向けて設けられても良い。
【０００８】
また、本発明の建物ユニット及びユニット建物は、前記短梁は、３本配置され、前記短梁間には、２つの前記ドアが配置されて良い。
【０００９】
また、本発明の建物ユニット及びユニット建物は、３本の前記短梁のうち、中央の短梁と、該中央の短梁と対峙する前記梁材と、を支持する支持梁を有しても良い。
【００１０】
また、本発明のユニット建物の構築方法は、複数の梁材と柱材とによって骨組体が形成された建物ユニットを備えるユニット建物の構築方法であって、前記梁材に切欠部を設ける切欠部設置工程と、前記切欠部を補強する仮梁を前記骨組体の内側に取り付ける仮梁取付工程と、前記切欠部にドアを取り付けるドア取付工程と、前記建物ユニットを所定の位置に設置して固定する設置・固定工程と、前記仮梁を前記建物ユニットから脱離する仮梁脱離工程と、を含むことを特徴とする。
【発明の効果】
【００１１】
このように構成された本発明の建物ユニット及びユニット建物は、ドアを設けた状態で、仮梁を設けることができ、建築ユニットを搬送したり、建築ユニットを施工現場で所定の場所に据え付けたりする際に、建築ユニットに外力が作用しても、ドアが変形してしまうことを防止する。
【００１２】
また、本発明の建物ユニット及びユニット建物は、前記仮梁は、第１仮梁と、第２仮梁と、で構成されることで、ドアを設けた状態で、第１仮梁及び第２仮梁を設けることができ、建物ユニットを搬送したり、建物ユニットを施工現場で所定の場所に据え付けたりする際に、建物ユニットに外力が作用しても、ドアが変形してしまうことを防止する。
【００１３】
また、本発明の建物ユニット及びユニット建物は、前記短梁は、３本配置され、前記短梁間には、２つの前記ドアが配置されることで、２つのドアを、１つの建物ユニットに設けた状態で、仮梁を設けることができ、ドアの変形を防止し、玄関の配置位置の制約を低減し、スペースを有効活用することができる。
【００１４】
また、本発明の建物ユニット及びユニット建物は、３本の前記短梁のうち、中央の短梁と、該中央の短梁と対峙する前記梁材と、を支持する支持梁を有することで、玄関たたきを阻害することなく、梁材を支持する支持梁を設けることができ、建物ユニットの剛性を高めることができる。
【００１５】
また、本発明のユニット建物の構築方法は、切欠部設置工程と、仮梁取付工程と、ドア取付工程と、設置・固定工程と、仮梁脱離工程と、を含むことで、ドアを設けた状態で、仮梁を設けることができ、建物ユニットを搬送したり、建物ユニットを施工現場で所定の場所に据え付けたりする際に、建物ユニットに外力が作用しても、ドアが変形してしまうことを防止する。
【図面の簡単な説明】
【００１６】
【図１】実施例１の建物ユニットの構成を示す斜視図である。
【図２】実施例１の玄関ユニットの構成を示す分解斜視図である。
【図３】実施例１の仮梁の構成を示す分解斜視図である。
【図４】実施例１の仮梁の構成を示す分解斜視図である。
【図５】実施例１のドアの構成を示す分解斜視図である。
【図６】実施例１のドアの構成を示す断面図である。
【図７】実施例１の玄関ユニットの設置・固定工程を説明する説明図である。
【図８】実施例１の玄関ユニットの設置・固定工程を説明する説明図である。
【図９】実施例１の玄関ユニットの仮梁脱離工程を説明する説明図である。
【発明を実施するための形態】
【００１７】
以下、本開示による建物ユニット、ユニット建物及びユニット建物の構築方法を実現する実施形態を、図面に示す実施例１に基づいて説明する。
【実施例１】
【００１８】
まず、構成を説明する。
実施例１における建物ユニット及びユニット建物は、工場で製造される複数の建物ユニットを施工現場で連結するユニット建物としての２世帯住宅に適用する。以下、実施例１の構成を、「建物ユニットの構成」、「玄関ユニット建物の構成」、「仮梁の構成」、「ユニット建物の組立の手順」に分けて説明する。
【００１９】
［建物ユニットの構成］
図１は、実施例１の建物ユニットの構成を示す斜視図である。以下、図１に基づいて、実施例１の建物ユニットの構成を説明する。
【００２０】
ユニット建物１は、図１に示すように、基礎２の上に、１階部分の建物ユニット１０と、２階部分の建物ユニット１０Ａと、屋根パネル５とを組み付けて構築されている。１階部分の建物ユニット１０の１つは、玄関ユニット２０を構成する。
【００２１】
［玄関ユニット建物の構成］
図２は、実施例１の玄関ユニットの構成を示す分解斜視図である。以下、図２に基づいて、実施例１の玄関ユニットの構成を説明する。
【００２２】
玄関ユニット２０は、柱材としての柱２１と、梁材としての第１床大梁２２と、短梁としての第２床大梁２３と、短梁としての第３床大梁２４と、支持梁としての第１床小梁２６と、第２床小梁２７と、第３床小梁２８と、梁材としての天井大梁２５と、仮梁としての第１仮梁３１と、仮梁としての第２仮梁３５と、外壁１５と、ドアとしての玄関ドア７０と、から構成される。
【００２３】
柱２１は、四角筒状の鋼製の柱で形成される。柱２１は、矩形状の４隅に立設される。
【００２４】
第１床大梁２２は、角型Ｕ状の鋼材で形成される。第１床大梁２２は、３つ設けられる。第１床大梁２２は、柱２１の下端部で、矩形の辺のうち３辺を架け渡す。
【００２５】
第２床大梁２３は、角型Ｕ状の鋼材で形成される。第２床大梁２３は、両端部が閉じられており、１面が開口した箱形を形成する。第２床大梁２３は、２つ設けられる。第２床大梁２３は、柱２１の下端部で、矩形の辺のうち１辺に沿って配置される。各第２床大梁２３の一方端は、柱２１に接続される。
【００２６】
第３床大梁２４は、角型Ｕ状の鋼材で形成される。第３床大梁２４は、両端部が閉じられており、１面が開口した箱形を形成する。第３床大梁２４は、１つ形成される。第３床大梁２４は、柱２１の下端部で、矩形の辺のうち１辺に沿って配置される。第３床大梁２４は、２つの第２床大梁２３の間に配置される。すなわち、第２床大梁２３と第３床大梁２４は、玄関ユニット２０の骨組体の梁材が配置される一辺の位置において、間隔をおいて配置される。
【００２７】
第２床大梁２３と第３床大梁２４との間は、玄関ドア７０が取り付けられる切欠部２９を構成する。すなわち、切欠部２９は、梁材の一辺に、第２床大梁２３及び第３床大梁２４によって、２か所に形成される。
【００２８】
第１床小梁２６は、四角筒状の鋼材で形成される。第１床小梁２６は、１つ形成される。第１床小梁２６は、矩形状の長辺の第１床大梁２２の中央と、第３床大梁２４の中央とを連結する。すなわち、第１床小梁２６は、第３床大梁２４と、これに対峙する第１床大梁２２との間に架け渡される。
【００２９】
第２床小梁２７は、四角筒状の鋼材で形成される。第２床小梁２７は、２つ形成される。第２床小梁２７は、矩形状の短辺の第１床大梁２２の中央と、第１床小梁２６の中央とを接続する。
【００３０】
第３床小梁２８は、四角筒状の鋼材で形成される。第３床小梁２８は、６つ形成される。第３床小梁２８は、矩形状の長辺の第１床大梁２２と、第２床小梁２７とを接続する。
【００３１】
天井大梁２５は、角型Ｕ状の鋼材で形成される。天井大梁２５は、４つ設けられる。天井大梁２５は、柱２１の下端部で、矩形の辺に沿って連結する。
【００３２】
第１仮梁３１は、２つ設けられる。第１仮梁３１は、第２床大梁２３と、第３床大梁２４との間に配置される。第１仮梁３１は、第２床大梁２３の他方端の側面と、第３床大梁２４の一方端の側面と、を接続する。すなわち、第１仮梁３１は、第２床大梁２３と第３床大梁２４とによって形成される切欠部２９を補強する。
【００３３】
第２仮梁３５は、４つ設けられる。第２仮梁３５は、第２床大梁２３と、第３床大梁２４との間に配置される。第２仮梁３５は、第１仮梁３１と直交する方向に設けられ、第２床小梁２７と第１仮梁３１とを接続する。すなわち、第２仮梁３５は、第１仮梁３１を支持することで、第２床大梁２３と第３床大梁２４とによって形成される切欠部２９を補強する。
【００３４】
柱２１と、第１床大梁２２と、天井大梁２５とは、玄関ユニット２０の骨組体を形成する。すなわち、複数の梁材と柱材とによって、玄関ユニット２０の骨組体を形成する。
【００３５】
外壁１５は、玄関ユニット２０の骨組体の一側面に取り付けられる。すなわち、外壁１５は、柱２１と、第２床大梁２３と、第３床大梁２４と、天井大梁２５とで形成される平面の外側に取り付けられる。
【００３６】
玄関ドア７０は、ドア本体７１と、ドア枠７２から形成される。玄関ドア７０は、第２床大梁２３と第３床大梁２４に沿って配置される。すなわち、玄関ドア７０は、第１仮梁３１より、玄関ユニット２０の骨組体の外側に配置される。
【００３７】
［仮梁の構成］
図３は、実施例１の仮梁の構成を示す分解斜視図である。図４は、実施例１の仮梁の構成を示す分解斜視図である。以下、図３及び図４に基づいて、実施例１の仮梁の構成を説明する。
【００３８】
第１仮梁３１は、図３に示すように、第１仮梁本体３２と、仮梁接続部３３と、を備える。
【００３９】
第１仮梁本体３２は、角型Ｕ状の鋼材で形成される。第１仮梁本体３２には、第２仮梁３５を第１仮梁３１に取り付ける４つの取付孔３２ａを有する。
【００４０】
仮梁接続部３３は、第１仮梁本体３２の両端部に、Ｌ字状の鋼材で形成される。仮梁接続部３３には、第１仮梁３１を、第２床大梁２３及び第３床大梁２４に取り付ける２つの取付孔３３ａを有する。
【００４１】
第２床大梁２３及び第３床大梁２４は、ブラケット５０を有する。ブラケット５０は、角型Ｕ状の鋼材で形成される。ブラケット５０は、第２床大梁２３又は第３床大梁２４の開口部の一部を塞ぐように、溶接等によって、第２床大梁２３又は第３床大梁２４に取り付けられる。ブラケット５０には、第１仮梁３１を第２床大梁２３又は第３床大梁２４に取り付ける２つの取付孔５０ａを有する。
【００４２】
そして、ボルト等の締結部材４０が、第１仮梁３１の仮梁接続部３３の取付孔３３ａと、ブラケット５０の取付孔５０ａと、に挿入され、ナット等に締結されることで、第１仮梁３１は、第２床大梁２３と第３床大梁２４とに取り付けられる。すなわち、第１仮梁３１は、第２床大梁２３の端部の側面と、第３床大梁２４の端部の側面とに、着脱可能に設けられる。また、第１仮梁３１は、玄関ユニット２０の内側に配置される。
【００４３】
第２仮梁３５は、図３及び図４に示すように、第２仮梁本体３６と、第１フランジ３７と、第２フランジ３８と、を有する。
【００４４】
第２仮梁本体３６は、四角筒状の鋼材で形成される。第１フランジ３７は、第２仮梁本体３６の一方端に、矩形の板状の鋼材で形成される。第１フランジ３７には、第２仮梁３５を第１仮梁３１に取り付ける２つの取付孔３７ａが設けられる。
【００４５】
第２フランジ３８は、第２仮梁本体３６の他方端に、矩形の板状の鋼材で形成される。第２フランジ３８には、第２仮梁３５を第２床小梁２７に取り付ける４つの取付孔３８ａが設けられる。第２床小梁２７には、第２仮梁３５を第２床小梁２７に取り付ける４つの取付孔２７ａが設けられる。
【００４６】
そして、ボルト等の締結部材４０が、第２仮梁３５の第１フランジ３７の取付孔３７ａと、第１仮梁３１の第１仮梁本体３２の取付孔３２ａと、に挿入され、ナット等に締結されることで、第２仮梁３５は、第１仮梁３１に取り付けられる。また、ボルト等の締結部材４０が、第２仮梁３５の第２フランジ３８の取付孔３８ａと、第２床小梁２７の取付孔２７ａと、に挿入され、ナット等に締結されることで、第２仮梁３５は、第２床小梁２７に取り付けられる。
【００４７】
すなわち、第２仮梁３５は、切欠部２９に設けられた第１仮梁３１と、第２床小梁２７とに着脱可能に設けられる。また、第２仮梁３５は、玄関ユニット２０の内側に配置される。
【００４８】
［ドアの構成］
図５は、実施例１のドアの構成を示す分解斜視図である。図６は、実施例１のドアの構成を示す断面図である。以下、図５及び図６に基づいて、実施例１のドアの構成を説明する。
【００４９】
玄関ドア７０は、図５及び図６に示すように、ドア本体７１と、ドア枠７２と、ドアヒンジ７３とから形成される。ドア本体は、ドアヒンジ７３を介してドア枠７２に設置され、開閉可能とする。
【００５０】
ドア枠７２は、玄関ドア７０を外壁に取り付ける取付孔７２aを有する。外壁１５には、外壁１５の縁に設けられた外壁ブラケット１６が設けられる。外壁ブラケット１６は、玄関ドア７０を外壁１５に取り付ける取付孔１６ａを有する。
【００５１】
そして、ボルト等の締結部材４５が、ドア枠７２の取付孔７２ａと、外壁ブラケット１６の取付孔１６ａと、に挿入され、ナット等に締結されることで、玄関ドア７０が外壁１５に取り付けられ、切欠部２９に設置される。
【００５２】
［ユニット建物の組立の手順］
次に、ユニット建物の組立の手順を説明する。図７は、実施例１の玄関ユニットの設置・固定工程を説明する説明図である。図８は、実施例１の玄関ユニットの設置・固定工程を説明する説明図である。図９は、実施例１の玄関ユニットの仮梁脱離工程を説明する説明図である。以下、図２〜図９に基づいて、実施例１のユニット建物の組立手順を説明する。
【００５３】
ユニット建物１は、「切欠部設置工程」、「仮梁取付工程」、「ドア取付工程」、「設置・固定工程」、「仮梁脱離工程」を経て行われる。
【００５４】
（切欠部設置工程）
切欠部設置工程は、図２に示すように、工場で玄関ユニット２０が製造される工程で、第２床大梁２３と第３床大梁２４を玄関ユニット２０の骨組体として形成することで、第２床大梁２３と第３床大梁２４との間に切欠部２９を設ける。
【００５５】
（仮梁取付工程）
仮梁取付工程では、図３及び図４に示すように、工場で玄関ユニット２０が製造される工程で、第１仮梁３１及び第２仮梁３５が玄関ユニット２０に取り付けられる。
【００５６】
（ドア取付工程）
ドア取付工程では、図５及び図６に示すように、工場で玄関ユニット２０が製造される工程で、玄関ユニット２０に取り付けられた外壁１５の外壁ブラケット１６に、玄関ドア７０が取り付けられ、切欠部２９に設置される。ドア取付工程後に、玄関ユニット２０は、ユニット建物１の施工現場に搬送される。
【００５７】
（設置・固定工程）
設置・固定工程では、図７に示すように、施工現場で、玄関ユニット２０が、例えばクレーン等により、基礎２の上に設置される。基礎２の上には、玄関ドア７０を基礎２に固定するためのＬ字フレーム６が、アンカーボルト３によって固定されている。基礎２に囲まれた玄関部分には、玄関たたき（玄関土間）４が設けられている。基礎２の上に設置された玄関ユニット２０は、基礎２に設けられたアンカーボルト３によって、基礎２に固定される。この際、図８に示すように、玄関ユニット２０に取り付けられた玄関ドア７０のドア枠７２は、Ｌ字フレームにボルト等の締結部材４５によって固定される。
【００５８】
（仮梁脱離工程）
仮梁脱離工程では、図９に示すように、施工現場で、第１仮梁３１及び第２仮梁３５が玄関ユニット２０から取り外される。
【００５９】
次に、作用を説明する。
実施例１の建物ユニット、ユニット建物及びユニット建物の構築方法における作用を説明する。
【００６０】
［比較作用］
例えば、仮梁を使用しないで、玄関ドアを取り付けた玄関ユニットを、施工現場に搬送し、施工現場で所定の場所に据え付ける場合を比較例とする。
【００６１】
ところで、玄関ドアは、ドア本体がドア枠に対して開閉する。そのため、少しでもドア枠が変形すると、ドア本体の開閉動作に支障をきたす虞がある。
【００６２】
比較例の場合、玄関ユニットを搬送したり、玄関ユニットを施工現場で所定の場所に据え付けたりする際に、玄関ユニットに外力が作用し、ドア枠が変形してしまう、という課題がある。
【００６３】
これに対し、実施例１の建物ユニット（玄関ユニット２０）又はユニット建物１は、複数の梁材（第１床大梁２２，天井大梁２５）と柱材（柱２１）とによって骨組体が形成された建物ユニット（玄関ユニット２０）であって、骨組体の梁材（第１床大梁２２，天井大梁２５）が配置される一辺の位置において、間隔をおいて配置される複数の短梁（第２床大梁２３，第３床大梁２４）と、短梁間に配置され、着脱可能な仮梁（第１仮梁３１，第２仮梁３５）と、を備え、仮梁（第１仮梁３１，第２仮梁３５）は、骨組体の内側に配置され、短梁間には、ドア（玄関ドア７０）が配置される（図２）。
【００６４】
これにより、玄関ドア７０を設けた状態で、仮梁を設けることができる。そのため、玄関ユニット２０を搬送したり、玄関ユニット２０を施工現場で所定の場所に据え付けたりする際に、玄関ユニット２０に外力が作用しても、ドア枠７２が変形してしまうことを防止する。
【００６５】
実施例１の建物ユニット（玄関ユニット２０）又はユニット建物１は、仮梁は、第１仮梁３１と、第２仮梁３５と、で構成され、第１仮梁３１は、短梁（第２床大梁２３，第３床大梁２４）の端部の側面間を接続し、第２仮梁３５は、第１仮梁３１に直交する方向に向けて設けられる（図２）。
【００６６】
これにより、玄関ドア７０を設けた状態で、第１仮梁３１及び第２仮梁３５を設けることができる。そのため、玄関ユニット２０を搬送したり、玄関ユニット２０を施工現場で所定の場所に据え付けたりする際に、玄関ユニット２０に外力が作用しても、ドア枠７２が変形してしまうことを防止する。
【００６７】
例えば、２世帯住宅のように、ユニット建物に玄関を２つ設ける場合、ドア枠の変形を防止するために、各玄関ドアを別々の建物ユニットに取り付ける必要がある。そのため、玄関を設ける位置に制約ができてしまい、スペースを有効活用することができない、という課題がある。
【００６８】
これに対し、実施例１の建物ユニット（玄関ユニット２０）又はユニット建物１は、短梁（第２床大梁２３，第３床大梁２４）は、３本配置され、短梁間には、２つのドア（玄関ドア７０）が配置される（図２）。
【００６９】
これにより、２つの玄関ドア７０を、１つの玄関ユニット２０に設けた状態で、仮梁を設けることができる。そのため、ドア枠７２の変形を防止して、１つ玄関ユニット２０に２つの玄関ドア７０を設置することができる。その結果、玄関の配置位置の制約を低減し、スペースを有効活用することができる。
【００７０】
実施例１の建物ユニット（玄関ユニット２０）又はユニット建物１は３本の短梁（第２床大梁２３，第３床大梁２４）のうち、中央の短梁（第３床大梁２４）と、中央の短梁（第３床大梁２４）と対峙する梁材（第１床大梁２２）と、を支持する支持梁（第１床小梁２６）を有する（図２）。
【００７１】
これにより、玄関たたき４を阻害することなく、梁材（第１床大梁２２，第３床大梁２４）を支持する支持梁（第１床小梁２６）を設けることができる。そのため、玄関たたき４を阻害することなく玄関ユニット２０の剛性を高めることができる。
【００７２】
実施例１のユニット建物１の構築方法は、複数の梁材（第１床大梁２２，天井大梁２５）と柱材（柱２１）とによって骨組体が形成された建物ユニット（玄関ユニット２０）を備えるユニット建物１の構築方法であって、梁材（第１床大梁２２，天井大梁２５）に切欠部２９を設ける切欠部設置工程と、切欠部２９を補強する仮梁（第１仮梁３１，第２仮梁３５）を骨組体の内側に取り付ける仮梁取付工程と、切欠部２９にドア（玄関ドア７０）を取り付けるドア取付工程と、建物ユニット（玄関ユニット２０）を所定の位置に設置して固定する設置・固定工程と、仮梁（第１仮梁３１，第２仮梁３５）を建物ユニット（玄関ユニット２０）から脱離する仮梁脱離工程と、を含む（図２〜図９）。
【００７３】
これにより、玄関ドア７０を設けた状態で、仮梁を設けることができる。そのため、玄関ユニット２０を搬送したり、玄関ユニット２０を施工現場で所定の場所に据え付けたりする際に、玄関ユニット２０に外力が作用しても、ドア枠７２が変形してしまうことを防止する。
【００７４】
以上、本開示の収容容器用架台を実施例１に基づき説明してきた。しかし、具体的な構成については、この実施例に限られるものではなく、特許請求の範囲の各請求項に係る発明の要旨を逸脱しない限り、設計の変更や追加等は許容される。
【００７５】
実施例１では、１つの玄関ユニット２０に２つの玄関ドア７０を設ける例を示した。しかし、１つの玄関ユニットに、１つの玄関ドアを設けても良い。
【００７６】
実施例１では、仮梁取付工程の後に、ドア取付工程を実施する例を示した。しかし、ドア取付工程の後に、仮梁取付工程を実施しても良い。
【００７７】
実施例１では、仮梁が玄関ドア７０を直接固定しない例を示した。しかし、ボルト等の締結部材によって、仮梁を玄関ドアに着脱可能に直接固定しても良い。
【００７８】
実施例１では、１つの第１仮梁３１に対して、２本の第２仮梁３５を設ける例を示した。しかし、１つの第１仮梁対して、１本の第２仮梁を設けても良いし、３本以上の第２仮梁を設けても良い。
【００７９】
実施例１では、第１仮梁３１及び第２仮梁３５を補強する補強材を設けていない例を示した。しかし、第１仮梁又は第２仮梁は、第１仮梁又は第２仮梁を補強する補強材を設けても良い。
【００８０】
実施例１では、建物ユニット、ユニット建物及びユニット建物の構築方法を２世帯住宅に適用する例をしめした。しかし、建物ユニット、ユニット建物及びユニット建物の構築方法としては、１世帯住宅や集合住宅に適用しても良い。
【符号の説明】
【００８１】
１        ユニット建物
１０      建物ユニット
２０      玄関ユニット（建物ユニットの一例）
２１      柱（柱材）
２２      第１床大梁（梁材の一例）
２３      第２床大梁（短梁の一例）
２４      第３床大梁（短梁の一例）
２５      天井大梁（梁材の一例）
２６      第１床小梁（支持梁の一例）
２９      切欠部
３１      第１仮梁（仮梁の一例）
３２      第２仮梁（仮梁の一例）
７０      玄関ドア（ドアの一例）
【図１】
2019065524.tif 000003
【図２】
2019065524.tif 000004
【図３】
2019065524.tif 000005
【図４】
2019065524.tif 000006
【図５】
2019065524.tif 000007
【図６】
2019065524.tif 000008
【図７】
2019065524.tif 000009
【図８】
2019065524.tif 000010
【図９】
2019065524.tif 000011